(57)【要約】  本発明は、少なくとも１つの化粧品（４０）のための包装箱（１０）であって、  −  内部コンパートメント（２６）を画定する基部（１６）と、  −  第１の化粧品（４０）を受け入れるように意図される容器（３９、５０）を備えるレフィル部（１４）と、を備え、レフィル部は、レフィル部の容器が基部の内部コンパートメント内に受け入れられるように基部と取り外し可能に組み立てられる、包装箱に関する。包装箱は、基部に対するレフィル部の平行移動しないようにブロックするための第１のブロック手段（８２、８６）および第２のブロック手段（７０、７２）を備え、第１のブロック手段は、基部（１６）に対してレフィル部（１４）をブロック解除するように弾性的に変形可能である。
2018517487.tif 000002
【特許請求の範囲】
【請求項１】
少なくとも１つの化粧品（４０）のための包装箱（１０）であって、
内部コンパートメント（２６）を画定する基部（１６）であって、前記内部コンパートメントの開口が第１の軸（２８）に沿って実質的に配置される、基部（１６）と、
化粧製品などの第１の化粧品（４０）を受け入れるように意図される容器（３９、５０）を備えるレフィル部（１４）であって、前記容器の開口が第２の軸（３４）に従って実質的に配置されている、レフィル部（１４）と、
を備え、
前記レフィル部は、前記レフィル部の前記容器が前記基部の前記内部コンパートメント内に受け入れられるとともに、前記第１の軸と前記第２の軸とが交絡するように、前記基部と取り外し可能に組み立てられ、
前記包装箱は、前記基部に対して前記レフィル部を前記第１の軸に沿って平行移動しないようにブロックする第１のブロック手段（７８、８６）および第２のブロック手段（７０、７２）を備え、
少なくとも前記第１のブロック手段（７８）は、前記レフィル部（１４）を前記基部（１６）に対してブロック解除するように、前記第１の軸および／または前記第２の軸と略垂直な方向（Ｙ）に従って弾性的に変形可能であることを特徴とする包装箱。
【請求項２】
前記第１のブロック手段および前記第２のブロック手段のそれぞれは、前記基部（１６）の第１の要素（８６、７２）と前記レフィル部（１４）の第２の要素（７８、７０）とを備え、前記第１の要素および前記第２の要素は、前記レフィル部を前記基部に対して平行移動しないようにブロックするために協働できる、請求項１に記載の包装箱。
【請求項３】
前記第１のブロック手段の前記第１の要素および前記第２の要素のうちの一方（７８）が、弾性的に変形可能な柔軟タブ（７８）を備える、請求項１または２に記載の包装箱。
【請求項４】
前記第１のブロック手段（７８、８６）および前記第２のブロック手段（７０、７２）は、前記容器（３９）のいずれかの側に実質的に位置付けられる、請求項１から３のいずれか一項に記載の包装箱。
【請求項５】
開位置と閉位置との間で移動可能な蓋（１２）をさらに備え、前記レフィル部ならびに／または前記第１のブロック手段および前記第２のブロック手段は、前記基部（１６）と閉位置にある前記蓋とによって画定される内部容積に収容される、請求項１から４のいずれか一項に記載の包装箱。
【請求項６】
化粧製品アプリケータなどの第２の化粧品（９３）を受け入れるように意図される筐体（９２）をさらに備える、請求項１から５のいずれか一項に記載の包装箱。
【請求項７】
第２の化粧品を受け入れるように意図される前記筐体（９２）は、前記蓋（１２）が閉位置にあるとき、前記容器（３９）を閉じるように構成される、請求項６と組み合わされた請求項５に記載の包装箱。
【請求項８】
請求項１から７のいずれか一項に記載の包装箱（１０）と、
前記レフィル部または前記レフィル部の一部と類似の形状の複数のレフィル（１４、５０）であって、それぞれが化粧製品（４０）を収容している、複数のレフィル（１４、５０）と、
を備えるレフィルユニット。
【請求項９】
請求項１から７のいずれか一項に記載の包装箱を分解するための方法であって、
前記包装箱の前記基部（１６）に対して前記包装箱の前記レフィル部（１４）をブロック解除するように、前記第１のブロック手段（７８）を弾性変形させるステップと、次いで、
前記レフィル部および前記基部を分離するステップと、
を含む方法。
【請求項１０】
請求項２から７のいずれか一項に記載の包装箱を製造するための方法であって、
前記基部（１６）および前記レフィル部（１４）を供給するステップと、次いで、
前記第２のブロック手段の前記第１の要素および前記第２の要素（７０、７２）を平行移動において接触させるステップと、次いで、
前記第１のブロック手段の弾性変形によって平行移動しないようにする前記第１のブロック手段の前記第１の要素および第２の要素（８６、７８）をスナップ嵌めにより組み立てるように、前記第２のブロック手段の前記第１の要素および前記第２の要素を実質的に通過する第３の軸に従って前記基部に対して前記レフィル部を旋回するステップと、
を含む方法。
【発明の詳細な説明】
【技術分野】
【０００１】
本発明は、内部コンパートメントを画定する基部であって、前記内部コンパートメントの開口が第１の軸に沿って実質的に配置される、基部と、化粧製品などの第１の化粧品を受け入れるように意図される容器を備えるレフィル部であって、前記容器の開口が第２の軸に沿って実質的に配置されている、レフィル部とを備え、レフィル部は、レフィル部の容器が基部の内部コンパートメント内に受け入れられるとともに、第１の軸と第２の軸とが交絡する（ｃｏｎｆｏｕｎｄ）ように、基部と取り外し可能に組み立てられる、包装箱に関する。
【背景技術】
【０００２】
本発明による「化粧品」という用語は、例えばパウダーなどの固体、液体、またはクリームなど、人に塗布することが意図とされている化粧製品を指す。「化粧製品」は、より大まかには、化粧製品に関連する、２００９年１１月３０日の欧州議会および理事会のＥＣ規則第１２２３／２００９に定められているような製品である。
【０００３】
「化粧品」という用語は、例えばブラシ、タッチアップブラシ、またはスポンジといった、化粧製品を身体の表面に塗布するために使用される器具も指している。「化粧品」は、爪やすりなど、美容処理器具であってもよい。
【０００４】
包装装置は、化粧品の保管、販売、および使用を目的として、化粧品を収容および移動するのに適している。包装装置は、例えば、ハンドバッグに入れることができるケースまたは箱である。
【０００５】
化粧品が化粧製品であるとき、製品が使い果たされたとき、箱をレフィルできることは有利である。製品を容器で直接的に包装するために、箱を互いに対して取り外し可能な２つの部分で構成することが知られており、それらのうちの一方の部分が、レフィルの容器を伴う。このような包装箱は、具体的には、特許文献１及び２に記載されている。
【先行技術文献】
【特許文献】
【０００６】
【特許文献１】国際公開第２０１４０１７８００号パンフレット
【特許文献２】ＫＲ１０１１１２４７７
【非特許文献】
【０００７】
【非特許文献１】ＥＣ規則第１２２３／２００９
【発明の概要】
【発明が解決しようとする課題】
【０００８】
本発明の目的は、組立および分離の方法を容易にしながらも確実に連結することを保証するために、２つの取り外し可能な部分の間における組立装置を改善することである。
【課題を解決するための手段】
【０００９】
この趣旨のために、本発明は、基部に対するレフィル部を、第１の軸に沿って平行移動しないようにブロックするための第１のブロック手段および第２のブロック手段を備え、少なくとも第１のブロック手段は、レフィル部を基部に対してブロック解除するように、第１の軸および／または第２の軸と実質的に垂直な方向に沿って弾性的に変形可能である、前述の種類の包装箱を有することを目的とする。
【００１０】
本発明のさらなる有利な態様によれば、包装箱は、以下の特徴のうちの１つまたはいくつかを、個別で、または、技術的に可能な組み合わせで備える。
−  第１のブロック手段および第２のブロック手段のそれぞれは、基部の第１の要素とレフィル部の第２の要素とを備え、前記第１の要素および前記第２の要素は、レフィル部を基部に対して平行移動しないようにブロックするために協働できる。
−  第１のブロック手段の第１の要素および第２の要素の一方が、弾性的に変形可能な柔軟タブを備える。
−  第１のブロック手段および第２のブロック手段は、実質的に容器のいずれかの側に位置付けられる。
−  箱は、開位置と閉位置との間で移動可能な蓋をさらに備え、レフィル部ならびに／または第１のブロック手段および第２のブロック手段は、基部と閉位置にある蓋とによって画定される内部容積に収容される。
−  箱は、化粧製品アプリケータなどの第２の化粧品を受け入れるように意図される筐体をさらに備える。
−  第２の化粧品を受け入れるように意図される筐体は、蓋が閉位置にあるとき、容器を閉じるように構成される。
−  レフィル部は、第１および第２のブロック手段の第２の要素を備える支持体を備える。
【００１１】
本発明は、前述したものなどの包装箱と、レフィル部または前記レフィル部の一部に類似の形状の複数のレフィルとを備え、複数のレフィルのそれぞれが化粧製品を収容している、レフィルユニットにさらに関する。
【００１２】
本発明は、前述したものなどの包装箱を分解するための方法であって、箱の基部に対して、前記包装箱のレフィル部をブロック解除するように、第１のブロック手段を弾性変形させるステップと、次に、レフィル部および基部を分離するステップとを含む方法にさらに関する。
【００１３】
本発明は、前述したものなどの包装箱を製造するための方法であって、基部およびレフィル部を供給するステップと、第２のブロック手段の第１および第２の要素を平行移動において接触させるステップと、次に、第１のブロック手段の弾性変形によって平行移動しないようにブロックする第１のブロック手段の第１および第２の要素をスナップ嵌めすることにより組み立てるように、第２のブロック手段の前記第１および第２の要素を実質的に通過する第３の軸に従って、基部に対してレフィル部を旋回するステップとを含む方法にさらに関する。
【００１４】
本発明は、図面を参照しつつ、単に非限定的な例として提供されている以下の記載を考慮して、より容易に理解されるものである。
【図面の簡単な説明】
【００１５】
【図１】本発明の第１の実施形態による包装箱の、第１の構成における斜視図である。
【図２】第２の構成における、図１の箱の部分的な断面図である。
【図３】第３の構成における、図１の箱の部分的な断面図である。
【図４】図１の箱の第１の要素の斜視図である。
【図５】図１の箱の第１の要素の斜視図である。
【図６】図１の箱の第２の要素の部分的な斜視図である。
【発明を実施するための形態】
【００１６】
図１〜図３は、本発明の実施形態による、メーキャップケースの種類の包装箱１０を示している。正規直交基底（Ｘ、Ｙ、Ｚ）が、方向Ｚが鉛直を表すようにして考慮されている。図２および図３の切断平面は、箱１０の対称の平面（Ｙ、Ｚ）である。
【００１７】
箱１０は、基部１１と、前記基部に対して回転移動可能な蓋１２とを備えている。箱１０は、同じく基部１１に対して回転移動可能なプレート１３をさらに備えている。
【００１８】
基部１１は、上方のプレート１４と、互いと入れ子にされる下方の基部１６とから形成されている。基部１６から分離されたプレート１４は、具体的には、プレート１３と組み立てられた、図４および図５で見ることができる。プレート１４から分離された基部１６は、具体的には、蓋１２と組み立てられて、図６で見ることができる。
【００１９】
基部１６は、実質的に平面（Ｘ、Ｙ）に従って配置された下方壁１８を備えている。図１〜図６の実施形態では、下方壁１８は、実質的に正方形の輪郭を有する。
【００２０】
基部１６は、下方壁１８からＺに従って展開されている４つの側壁２０をさらに備えている。図１〜図３および図６の実施形態では、側壁２０は、箱１０の外側で湾曲されている形のものである。
【００２１】
壁２０の各々１つの上方端は、実質的に直線の縁によって形成されている。前記直線の縁は、Ｘと実質的に平行な前縁２１および後縁２２と、Ｙと実質的に平行な側縁２３、２４とを備えている。側壁２０の縁２１、２２、２３、２４は、平面（Ｘ、Ｙ）において配置された正方形を形成している。図示していない代替では、箱は、例えば、円形、楕円形、または多角形の外部の横断面といった、他の形を有する。
【００２２】
基部１６の側壁２０および下方壁１８は、上方部における開口するコンパートメント２６を画定する。
【００２３】
図１〜図６の実施形態では、基部１６は、下方部１８において円形の切り抜き２７を備えている。切り抜き２７は、Ｚと平行な軸２８に従って配置されており、図２および図３の切断平面に含まれている。
【００２４】
プレート１４は、上向きに開口する中心空洞３２を備え、基部１６のコンパートメント２６に受け入れられる。空洞３２が、Ｚと平行な中心軸３４に従って配置されており、プレート１４および基部１６が組み立てられるとき、軸３４は軸２８と交絡する。
【００２５】
空洞３２は、平面（Ｘ、Ｙ）に従って配置された底部３５を備えている。図１〜図３に示した実施形態では、底部３５は、基部１６の切り抜き２７と実質的に相補の形を有しており、前記底部３５は、前記切り抜きと同一平面上に配置される。このようにして、プレート１４の底部３５と基部１６の下方壁１８とは連続した面を形成する。図示していない代替では、空洞３２は、横断面として、例えば正方形または長方形といった、他の形を有する。
【００２６】
図示していない代替によれば、下方壁１８は切り抜きを備えておらず、底部３５は前記下方壁１８の上方に位置付けられる。
【００２７】
底部３５から始まって、空洞３２は第１の側壁３６を備えている。第１の側壁３６は、回転円筒の形を有する内側部分３７および外側部分３８を備えている。内側部分３７の外径は、外側部分３８の内径に実質的に対応しており、前記内側部分３７は外側部分３８に収容されている。
【００２８】
底部３５と第１の側壁３６の内側部分３７とは、第１の化粧品４０を受け入れるように意図された第１の筐体３９を画定する。第１の化粧品４０は、例えば、粉末またはクリームなど、身体の表面に塗布されるように意図された化粧製品である。
【００２９】
底部３５の反対では、第１の側壁３６の外側部分３８が、平面（Ｘ、Ｙ）に配置された肩部４２によって延ばされ、続いて第２の側壁４４によって延ばされている。第２の壁４４は、第１の壁３６の直径より大きい直径を伴う回転円筒の形を有する。
【００３０】
図２および図３に示した実施形態では、プレート１４は、取り外し可能に組み立てられる下方部５０および上方部５２から形成されている。下方部５０は、空洞３２の底部３５と、第１の筐体３９を画定する第１の側壁３６の内側部分３７とによって形成されている。
【００３１】
上方部分は、第１の側壁３６の外側部分３８と、空洞３２の肩部４２および第２の側壁４４とを備えている。
【００３２】
内側部分３７は、例えばスナップ嵌めまたはネジ止めによって、外側部分３８と組み立てられ、空洞３２の第１の側壁３６を形成する。このようにして、底部３５はプレート１４の残りの部分と一体に作られる。
【００３３】
図示していない代替によれば、プレート１４の下方部５０および上方部５２は一体品である。具体的には、第１の側壁３６の内側部分３７と外側部分３８とが一体品である。
【００３４】
基部１６は、実質的に平面であり、平面（Ｘ、Ｙ）に配置された上方壁６０をさらに備えている。上方壁６０は、空洞３２の第２の側壁４４の上方端を形成している。図１〜図６に示した実施形態では、上方壁６０はプレート１４の上方部５２に属している。
【００３５】
上方壁６０は、前記基部１６のコンパートメント２６を閉じるように、基部１６の側壁２０の縁２１、２２、２３、２４と接触して配置されている正方形の輪郭を有している。具体的には、上方壁６０は、基部１６の前縁２１および後縁２２と接触してそれぞれ配置されている前縁６２および後縁６４を備えている。
【００３６】
プレート１４の前縁６２の２つの端の各々１つから始まって、案内タブ６６が、平面（Ｘ、Ｚ）に従って下向きに展開されている。各々のタブ６６の下方端は、外向きに、つまり、中心軸３４と反対に突出する突起７０を備えている。各々の突起７０は、Ｘに従って配置された実質的に直線の形を有している。
【００３７】
さらに、基部１６の前縁２１の２つの端の各々１つの近傍では、コンパートメント２６の内壁は、突起７０の形と相補の形の溝７２を備えている。溝７２は、図１〜図３にあるように、プレート１４と基部１６とが入れ子にされるとき、各々の突起７０が溝７２に収容されるように構成されている。各々の突起７０／溝７２のユニットは、基部１６に対してＺに従って平行移動しないようにプレート１４をブロックする。
【００３８】
プレート１４は、上方壁６０の後縁６４から始まる平面（Ｘ、Ｚ）に従って、下向きに展開されている後壁７４をさらに備える。後壁７４の下方端は、真っ直ぐでＸと平行な下方の縁７５によって形成されている。
【００３９】
優先的には、プレート１４は、上方壁６０から始まる平面（Ｙ、Ｚ）に従って、下向きに展開されている２つの側壁７６をさらに備える。後壁７４の各々の端は側壁７６の端に連結されている。後壁７４および側壁７６は、プレート１４および基部１６が入れ子にされるとき、基部１６のコンパートメント２６に受け入れられるように構成されている。
【００４０】
プレート１４は、後壁７４と実質的に同一平面上の柔軟タブ７８をさらに備えている。柔軟タブ７８は、下方の縁７５において前記後壁と一体になっており、前記下方の縁７５から始まって上向きに展開されている。柔軟タブ７８の上方端８０は、上方壁６０に対して上向きに突出部を形成している。
【００４１】
柔軟タブ７８は、外向きに、つまり、中心軸３４の反対に突出する突起８２をさらに備えている。突起８２は、Ｘに従って配置された実質的に直線の形を有する。Ｚに従って、突起８２は上方壁６０の後縁６４と近くなっている。
【００４２】
突起８２は、Ｘと平行で、平面（Ｙ、Ｚ）において傾斜して外向きに配向されている表面８３を備えている。
【００４３】
柔軟タブ７８では、プレート１４の上方部６０は切り抜き８４を備えている。このようにして、突起８２を軸３４に近づけるように、上方端８０においてＹに従って押すことで、柔軟タブ７８を弾性的に変形することが可能である。
【００４４】
さらに、基部１６の後縁２２の近傍では、コンパートメント２６の内壁は、第１の当接部８５と第２の当接部８６とを備えている。第１の当接部８５および第２の当接部８６は、内向きに、つまり、軸２８の方向に突出している。
【００４５】
第２の当接部８６は、Ｘと平行で、平面（Ｙ、Ｚ）において傾斜して内向きに配向されている表面８７を備えている。
【００４６】
第１の当接部８５および第２の当接部８６は、図１〜図３にあるように、プレート１４と基部１６とが入れ子にされるとき、前記第１の当接部８５および前記第２の当接部８６が、後壁７４の下方の縁７５および柔軟タブのラグ８２とそれぞれ接触しているように構成されている。したがって、第１の当接部８５は下方の縁７５の下に位置付けられ、第２の当接部８６は突起８２の上方にある。
【００４７】
第１の当接部８５／下方の縁７５のユニットと、第２の当接部８６／突起８２のユニットとは、基部１６に対してＺに従っての平行移動しないようにプレート１４をブロックする。
【００４８】
第２の当接部８６は、柔軟タブ７８が弾性的に変形されるとき、突起８２を軸３４に近づけることで前記第２の当接部から離れるように移動され得るように構成されている。
【００４９】
図示していない代替の実施形態によれば、基部１６に対するプレート１４のＺに従ってのプレート１４の平行移動におけるブロック手段は、基部１６によって担持される弾性的に変形可能な要素を備える。
【００５０】
箱１０のプレート１３は、プレート１４の上方壁６０の形および寸法と同様の形および寸法を伴う平面状部分９０を備えている。具体的には、平面状部分９０は実質的に正方形の輪郭を有している。図２に示しているように、装置１０の閉じられた構成において、平面状部分９０は平面（Ｘ、Ｙ）に配置される。
【００５１】
プレート１３は、第２の化粧品９３を受け入れるように意図された第２の筐体９２をさらに備えている。第２の化粧品９３は、例えば、化粧製品４０を塗布するように意図されているスポンジである。
【００５２】
プレート１３の第２の筐体９２は、平面状部分９０で開口している。筐体は、平面状部分９０と実質的に平行な平面状の底部９４を備えている。底部９４は、側壁９６によって平面状部分９０に連結されている。プレート１３の側壁９６は、プレート１４の第２の側壁４４の直径に近い直径を伴う円形の断面を有している。
【００５３】
プレート１３は、基部１１に、具体的には、プレート１４に搭載される。図４および図５は、一体に搭載されているプレート１３およびプレート１４を示している。
【００５４】
プレート１３の平面状板９０は、プレート１４の上方部６０の前縁６２に従って実質的に配置されているＸと平行な第１の回転の軸を実現するヒンジ９９によって、プレート１４に連結されている。
【００５５】
プレート１３は、図１に示した開構成と、図２に示した閉構成との間で、プレート１４に対して回転移動可能である。閉構成では、プレート１３の第２の筐体９２は、第１の化粧品４０を受け入れる第１の筐体３９を閉じるように、プレート１４の空洞３２に受け入れられている。
【００５６】
より正確には、閉構成では、プレート１３の筐体９２の平面状の底部９４の周辺部が、プレート１４の空洞３２の肩部４２と接触している。
【００５７】
箱１０の蓋１２は、実質的に平面の内面１００を備えている。図１〜図３で見られる装置１２の開構成において、装置１０の閉じられた構成において、内面１００は平面（Ｘ、Ｙ）に配置される。内面１００は実質的に正方形の輪郭を有する。
【００５８】
蓋１２は、内面１００と実質的に垂直な側壁１０２をさらに備えている。内面１００と反対の側壁１０２の一端は、基部１６の側壁２０の縁２１、２２、２３、２４によって形成されている正方形の輪郭と実質的に同一の正方形の輪郭１０３を形成している。
【００５９】
図１〜図３および図６の実施形態では、蓋１２は、内面１００が前記鏡の反射面となっている鏡１０４を備えている。
【００６０】
蓋１２は、基部１１に、具体的には、基部１６に搭載される。図６は、一体に搭載されている蓋１２および基部１６を示している。
【００６１】
蓋１２の側壁１０２は、基部１６の後縁２２に従って実質的に配置されているＸと平行な第２の回転の軸を実現するヒンジ１０６によって、基部１６に連結されている。
【００６２】
蓋１２は、図１〜図３および図６に示した開位置と、図示されていない閉位置との間で、基部１６に対して回転移動可能である。閉位置では、蓋１２は、スポンジ９３を受け入れる第２の筐体９２を閉じるように、閉構成においてプレート１４およびプレート１３を覆う。さらに、閉位置では、蓋１２はプレート１４の柔軟タブ７８の上方突出部８０を覆っている。
【００６３】
好ましくは、蓋１２は、閉位置での固定のための手段を備えている。例えば、蓋１２は、基部１６の前縁２１によって担持されているフック１１０と協働することができる切り込み１０８を備えている。
【００６４】
任意選択で、蓋１２は、前記蓋が閉位置にあるときに第２の筐体９２を装置１０の外側と連通させるために、穿孔または通気孔（図示せず）を備えている。濡れたスポンジ９３自体は、装置１０の内部でそのまま乾燥させることができ、カビの危険性を防止する。
【００６５】
本発明の実施形態によるレフィルユニットは、一方で、基部１６、蓋１２、プレート１４、およびプレート１３を備える前述したような箱１０と、他方で、プレート１３と組み立てられたプレート１４と同一の複数のレフィル１３、１４とを備え、前記レフィル１３、１４の第１の筐体３９は、多量の化粧製品４０を含んでいる。任意選択で、レフィル１３、１４の各々１つは、プレート１３の第２の筐体９２に収容されたスポンジ９３を備える。
【００６６】
ここで、このようなレフィルユニットを動作させるための方法を記載する。図１にあるように、蓋１２の開位置およびプレート１３の開構成では、第１の筐体３９は開いている。スポンジ９３を使用すると、使用者は、筐体３９内の化粧製品４０を取り出し、前記製品を身体の表面に塗布できる。塗布は、鏡１０４を用いて制御することが可能である。
【００６７】
化粧製品４０が使い果たされたとき、使用者は、箱１０に製品を詰め替えるために、プレート１４を基部１６から分離する。この趣旨のために、使用者は、前記タブを突起８２の中心軸３４に近づけるように、柔軟タブ７８の上方突起８０にＹに従っての圧力をかける。このようにして、突起８２は、基部１６の第２の当接部８６から離れるように移動し、第２の当接部８６から外される。
【００６８】
したがって、使用者は、プレート１４の後縁６４を持ち上げ、前記基部１６の前縁２１と実質的に並べられた軸に従って、基部１６に対して前記プレート１４を旋回する。箱１０は、図３に示した構成にある。
【００６９】
次に、使用者は、突起７０を溝７２から外し、Ｚに従っての平行移動によってプレート１４を基部１６から引き抜く。このようにして、図４および図５に示したプレート１３／プレート１４のユニットは、図６に示した蓋１２／基部１６のユニットから分離される。
【００７０】
次に、使用者は、プレート１３／プレート１４のユニットを、第１の筐体３９が化粧製品４０を収容している他の同一のユニットで置き換える。そのために、使用者は、新たなプレート１４を基部１６と組み立て、初めに、使用者は、図３に示した傾斜された構成において、プレート１４の突起７０を基部１６の溝７２へ導入する。次に、使用者は、突起８２および第２の当接部８６のそれぞれの傾斜された表面８３、８７が互いと接触するまで、プレート１４の後縁６４を下げる。使用者は後縁６４の低下を続け、傾斜された表面８３、８７を互いに対して滑らせ、柔軟タブ７８を内向きに押す。突起８２が第２の当接部８６を越えるとすぐに、タブ７８はその初期位置へと戻る。このようにして、プレート１４は基部１６にスナップ嵌めされ、具体的には、前記基部に対するＺに従っての平行移動しないようにブロックされる。
【００７１】
本発明の第１の代替の実施形態によるレフィルユニットは、一方で、前述したような箱１０と、他方で、プレート１４と同一の複数のレフィル１４とを備え、前記レフィル１４の第１の筐体３９は、多量の化粧製品４０を含んでいる。
【００７２】
第１の代替によるレフィルユニットなどを動作させる方法では、プレート１４を同一のレフィル物と置き換える間、プレート１３はプレート１４から取り外される。次いで、プレート１３は、具体的には、ヒンジ９９の部分の入れ子によって、レフィルに搭載される。
【００７３】
本発明の第２の代替の実施形態によるレフィルユニットは、一方で、前述したような、プレート１４が下方部５０および上方部５２を備える箱１０と、他方で、箱の下方部１４と同一の複数のレフィル５０とを備え、前記レフィル５０の第１の筐体３９は、多量の化粧製品４０を含んでいる。
【００７４】
第２の代替によるこのようなレフィルユニットを動作させる方法では、プレート１３／プレート１４のユニットが蓋１２／基部１６のユニットから分離されると、使用者は、下方部５０をプレート１４の上方部５２からスナップ嵌めまたはネジ止めを解除する。使用者は、前記下方部５０を、化粧製品４０を含む筐体３９を備える同一のレフィル５０と置き換える。最後に、使用者は、前述した方法で記載しているように、プレート１４を基部１６に再び組み立てる。
【符号の説明】
【００７５】
１０  包装箱、箱、装置
１１  基部
１２  蓋、装置
１３  プレート、レフィル
１４  上方のプレート、レフィル
１６  下方の基部
１８  下方の壁、下方部
２０  側壁
２１  前縁
２２  後縁
２３、２４  側縁
２６  コンパートメント
２７  切り抜き
２８  軸
３２  空洞
３４  中心軸
３５  底部
３６  第１の側壁
３７  内側部分
３８  外側部分
３９  第１の筐体
４０  第１の化粧品、化粧製品
４２  肩部
４４  第２の側壁
５０  下方部、レフィル
５２  上方部
６０  上方壁、上方部
６２  前縁
６４  後縁
６６  案内タブ
７０  突起
７２  溝
７４  後壁
７５  縁
７６  側壁
７８  柔軟タブ
８０  上方端、上方突出部
８２  突起
８３  表面
８４  切り抜き
８５  第１の当接部
８６  第２の当接部
８７  表面
９０  平面状部分、平面状板
９２  第２の筐体
９３  第２の化粧品、スポンジ
９４  底部
９６  側壁
９９  ヒンジ
１００  内面
１０２  側壁
１０３  輪郭
１０４  鏡
１０６  ヒンジ
１０８  切り込み
１１０  フック
【図１】
2018517487.tif 000003
【図２】
2018517487.tif 000004
【図３】
2018517487.tif 000005
【図４】
2018517487.tif 000006
【図５】
2018517487.tif 000007
【図６】
2018517487.tif 000008
【国際調査報告】
2018517487.tif 000009
2018517487.tif 000010